(57)【要約】【課題】  本発明は、データ通信の機能を使用せずに、外部から動作モードを簡易に切り換えできるＩＣタグを提供することを目的とする。【解決手段】  本発明のＩＣタグは、データ通信部、処理部、センサ、および動作切換部を備える。データ通信部は、外部機器とデータ通信を行う機能を有する。処理部は、このデータ通信部を制御する。センサは、ＩＣタグの外部から与えられる磁界、電界、光、圧力などの物理量をセンシングする。動作切換部は、このセンサによる外界状態の検出結果に応じて、ＩＣタグの動作モード（ＩＣタグのオンオフや所定処理の実行など）を変更する。【選択図】      図２
2005293485.tif 000002
【特許請求の範囲】
【請求項１】
外部機器とデータ通信を行うデータ通信部と、
前記データ通信部を制御する処理部と
を備えたＩＣタグであって、
前記ＩＣタグの外界について、外部操作可能な所定の物理量をセンシングすることにより、予め定められた外界状態を検出するセンサと、
前記外界状態の検出に応じて、前記ＩＣタグの動作モードを切り換える動作切換部と
を備えたことを特徴とするＩＣタグ。
【請求項２】
請求項１に記載のＩＣタグにおいて、
前記外界状態の検出に応じて切り換える前記動作モードを記憶する記録部を備えた
ことを特徴とするＩＣタグ。
【請求項３】
請求項１に記載のＩＣタグにおいて、
前記外界状態の検出回数と、前記ＩＣタグの動作モードとの対応関係を記憶する記録部を備え、
前記動作切換部は、前記外界状態の検出回数を計数し、計数された前記検出回数を前記対応関係に照合して前記ＩＣタグの動作モードを決定する
ことを特徴とするＩＣタグ。
【請求項４】
請求項３に記載のＩＣタグにおいて、
前記動作切換部は、前記検出回数が所定の上限回数を上回ると、動作モードの切り換えを停止または中断する
ことを特徴とするＩＣタグ。
【請求項５】
請求項１に記載のＩＣタグにおいて、
前記外界状態の検出時点から次回の検出時点までの時間間隔を計測するタイマーと、
前記時間間隔を、前記ＩＣタグの動作モードに変換する変換ルールを記憶する記録部とを備え、
前記動作切換部は、前記タイマーで計測された前記時間間隔を前記変換ルールに照合することにより、前記ＩＣタグの動作モードを決定する
ことを特徴とするＩＣタグ。
【請求項６】
請求項１に記載のＩＣタグにおいて、
予め定められた時間範囲を検出するタイマーと、
前記時間範囲における前記外界状態の検出回数を、前記ＩＣタグの動作モードに変換する変換ルールを記憶する記録部とを備え、
前記動作切換部は、前記時間範囲において前記外界状態の検出回数を計測し、計測した前記検出回数を前記変換ルールに照合して前記ＩＣタグの動作モードを決定する
ことを特徴とするＩＣタグ。
【請求項７】
請求項１ないし請求項６のいずれか１項に記載のＩＣタグにおいて、
前記動作モードは、『前記データ通信部の動作を停止させる処理』、『前記データ通信部の動作を開始させる処理』、『前記処理部の動作を停止させる処理』、および『前記処理部の動作を開始させる処理』の少なくとも一つである
ことを特徴とするＩＣタグ。
【請求項８】
請求項１ないし請求項６のいずれか１項に記載のＩＣタグにおいて、
前記処理部に動作クロックを供給するクロック部を備え、
前記動作モードは、『前記動作クロックの供給を停止させる処理』、『前記動作クロックの供給を間欠的に実施させる処理』、および『前記動作クロックを供給させる処理』の少なくとも一つである
ことを特徴とするＩＣタグ。
【請求項９】
請求項１ないし請求項６のいずれか１項に記載のＩＣタグにおいて、
『データ通信に使用する高速クロック』と『前記高速クロックよりも遅い低速クロック』との切り換え機能を有するクロック部を備え、
前記動作モードは、『前記クロック部の出力を低速クロックに切り換える処理』、および『前記クロック部の出力を高速クロックに切り換える処理』の少なくとも一つである
ことを特徴とするＩＣタグ。
【請求項１０】
請求項１ないし請求項６のいずれか１項に記載のＩＣタグにおいて、
前記ＩＣタグ内に電力供給を行う電力供給部を備え、
前記動作モードは、『前記電力供給部の電力供給を全部停止させる処理』、『前記電力供給部の電力供給を一部停止させる処理』、および『前記電力供給部の電力供給を実行させる処理』の少なくとも一つである
ことを特徴とするＩＣタグ。
【請求項１１】
請求項１ないし請求項１０のいずれか１項に記載のＩＣタグにおいて、
前記センサは、磁気を検出する磁気センサ、電界を検出する電界センサ、光を検出する光センサ、静電容量や誘電率を検出する静電容量センサ、圧電センサ、圧力センサ、接触センサ、電磁波センサ、電圧センサ、磁界によってスイッチ切換を行うリードスイッチ、太陽電池、温度センサ、気圧センサ、ガスセンサ、加速度センサ、歪みセンサ、および音センサの少なくとも一つである
ことを特徴とするＩＣタグ。
【発明の詳細な説明】
【技術分野】
【０００１】
本発明は、ＩＣタグ（ＩＣカードの形態も含む）に関する。
【背景技術】
【０００２】
従来、電池を内蔵したアクティブ型のＩＣタグが知られている。この種のＩＣタグは、ＣＰＵなどからなる処理部、外部とデータ通信を行うデータ通信部、および内蔵電池を、僅かなスペースに組み込んで形成される。
このような小さなＩＣタグに、人間の指で操作可能なスイッチ類を設けることはスペース的に非常に難しかった。そのため、ＩＣタグの電源オンオフを後から切り換えることは困難で、工場の製造段階から電池と処理部などを電気的に予め接続しておく必要があった。
そのため、工場の製造段階から実使用を開始するまでの期間、内部の電池が無駄に消費されてしまい、実使用可能な期間が短縮されるという問題点があった。
【０００３】
一方、ＩＣカードのように、ある程度大きな形態であっても、同様の問題があった。すなわち、ＩＣカードは、回路部分と電池を、樹脂モールドに封印することで、カード状に形成される。そのため、樹脂モールドに封印する前に、回路部分と電池とを予め接続しておく必要があった。そのため、工場の製造段階の直後から電池の消耗が始まり、実使用可能な期間が短縮されるという問題があった。
このようなＩＣカードの問題を解決するため、特許文献１には、下記の従来案が示されている。
【０００４】
（従来案１）
まず、ＩＣカードの回路部分と電池との間に、電源スイッチとなる電極部を予め設け、この電極部を、ＩＣカードの外表面に露出させておく。一方、このＩＣカードの外表面に貼り付ける化粧シート側に、予め導電膜を設けておく。
ＩＣカードの製造段階では、化粧シートを完全に貼り合わせないことにより、この電極部と導電膜とを接触させない。この状態では、電極部は導通せず、回路部分と電池とは電気的に遮断される。そのため、電池の消耗は極力抑えられる。
一方、ＩＣカードの出荷直前に、導電膜を電極部にしっかり固着させることにより、電極部が導通する。その結果、電池から回路部分へ電力供給が開始され、ＩＣカードが使用可能な状態となる。このように出荷直前に電池を接続することにより、ＩＣカードの使用可能期間をなるべく延長することが可能になる。
【０００５】
（従来案２）
まず、ＩＣカードの回路部分と電池との間に、電源スイッチとなる電極部を予め設ける。この電極部に、低融点の絶縁膜を介して、低融点金属を固定する。
この状態では、電極部は導通せず、回路部分と電池とは電気的に遮断される。そのため、この状態において、電池の消耗は極力抑えられる。
一方、ＩＣカードの出荷直前に、ＩＣカードを加熱することにより、絶縁膜が破壊され、溶解した低融点金属が電極部に固着する。その結果、電極部が導通し、電池から回路部分への電力供給が開始される。このように出荷直前に電池を接続することにより、ＩＣカードの使用可能期間をなるべく延長することが可能になる。
【０００６】
（従来案３）
まず、ＩＣカードの回路部分と電池との間に、電源スイッチとなる電極部を予め設ける。この電極部の近くに軟性金属を非接触状態で設ける。この状態で、回路部分と電池と軟性金属をカード内に封入する。
この状態では、電極部は導通せず、回路部分と電池とは電気的に遮断される。そのため、この状態において、電池の消耗は極力抑えられる。
一方、ＩＣカードの出荷直前に、ＩＣカードを外部から押圧することにより、軟性金属を圧潰して、潰れた軟性金属により電極部を導通させる。その結果、電池から回路部分への電力供給が開始される。このように出荷直前に電池を接続することにより、ＩＣカードの使用可能期間をなるべく延長することが可能になる。
【０００７】
（従来案４）
まず、ＩＣカードの回路部分と電池との間に、電源スイッチとなる電極部を予め設ける。この電極部に、絶縁膜（スペーサー）を挟んで、突起を有した金属板を重ねる。
この状態では、電極部は導通せず、回路部分と電池とは電気的に遮断される。そのため、この状態において、電池の消耗は極力抑えられる。
一方、ＩＣカードの出荷直前に、ＩＣカードを外部から加圧することにより、金属板の突起が絶縁膜を突き破って、電極部に接触する。その結果、電極部が導通し、電池から回路部分への電力供給が開始される。このように出荷直前に電池を接続することにより、ＩＣカードの使用可能期間をなるべく延長することが可能になる。
一方、特許文献２には、次の従来案が示されている。
【０００８】
（従来案５）
まず、ＩＣカードの回路部分と電池との間に、電源スイッチとなる電極部を予め設ける。この電極部に、絶縁性弾性体（スペーサー）を挟んで、導電性熱接着フィルムを重ねる。
この状態では、電極部は導通せず、回路部分と電池とは電気的に遮断される。そのため、この状態において、電池の消耗は極力抑えられる。
さらに、ＩＣカードの試験時には、ＩＣカードを外部から加圧することにより、導電性熱接着フィルムを電極部に一時的に接触させることができる。この状態では、電池から回路部分へ一時的に電力が供給され、ＩＣカードの試験が可能になる。
一方、ＩＣカードの出荷直前に、ＩＣカードを外部から加圧しながら加熱することにより、導電性熱接着フィルムが、電極部に固着する。その結果、電極部が導通し、電池から回路部分への電力供給が定常的に開始される。このように出荷直前に電池を接続することにより、ＩＣカードの使用可能期間をなるべく延長することが可能になる。
【０００９】
【特許文献１】特開平５−２５８１３１号公報（請求項１〜８）
【特許文献２】特開平５−２３３９０３号公報
【発明の開示】
【発明が解決しようとする課題】
【００１０】
（従来案１の問題）
ところで、上述した従来案１は、電極部を外表面に露出しなければならず、導電性金属による短絡や、電極部の腐食などに充分配慮して保管しなければならない。したがって、様々な環境下での使用が想定されるＩＣカードやＩＣタグには適さないという問題点があった。
【００１１】
（従来案２の問題）
また、上述した従来案２では、内部の低融点金属を溶解するために、ＩＣカードやＩＣタグを熱に晒さなければならない。このような熱により、電池の熱劣化が進んでしまい、電池の寿命が大幅に短縮してしまうという問題点があった。また、熱に弱い汎用プラスチックを筐体に使用できないという問題点もあった。
【００１２】
（従来案３の問題）
さらに、上述した従来案３では、内部の軟性金属を圧潰するために、筐体が変形するほどの加圧が必要となり、薄型のＩＣタグでは圧力破壊がかなりの確率で起こってしまうという問題点があった。
【００１３】
（従来案４の問題）
同様に、上述した従来案４も、内部の金属板の突起で絶縁膜を突き破るために、筐体が変形するほどの加圧が必要となり、薄型のＩＣタグでは圧力破壊がかなりの確率で起こってしまうという問題点があった。
【００１４】
（従来案５の問題）
また、上述した従来案５では、内部の導電性熱接着シートを電極部に接着するため、２２０度、８秒程度の加熱が必要となる。このような熱により、電池の熱劣化が進んでしまい、電池の寿命が大幅に短縮してしまうという問題点があった。また、熱に弱い汎用プラスチックを筐体に使用できないという問題点もあった。
【００１５】
（従来案１〜５の共通問題）
ところで、上述した従来案１〜５に共通して、電極部の導通が非可逆な手段で為される。そのため、電極部が定常的に導通すると、未使用期間であっても電源をオフできない。そのため、効率的な省電力運用ができず、実使用期間が短縮されてしまうという問題点があった。
特に、使用時のみ電源オンし、未使用期間に電源オフするといった運用では、実使用時すなわちユーザーによる電源オンオフの操作性に充分配慮しなければならない。しかしながら、化粧シートを加圧するなど、機械式スイッチを用いた電源オンオフでは、人間の指の大きさに合わせる必要がある。しかしながら、小さなＩＣタグでは、このような機械式スイッチの配置スペースを確保することが構造的に難しい。さらに、薄いＩＣカードや小さなＩＣタグでは、機械式スイッチの加圧操作に伴って構造劣化が生じやすく、信頼性低下の大きな原因になる。
【００１６】
（データ通信を用いた電源制御の問題）
なお、ＩＣタグは、データ通信を行うデータ通信部を内蔵する。したがって、外部からデータ通信により、電源オンオフの制御コマンドをデータ通信部に与えることも可能である。
しかしながら、この方策では、ＩＣタグ内のデータ通信部を常に待ち受け状態に置かなければならず、電源オフ時にも、データ通信部には電力を供給しなければならない。
通常、データ通信部は、データ通信用の高速クロックで動作し、かつ外部とのデータ通信に大きな電力を必要とする。そのため、ＩＣタグの消費電力のかなり割合が、データ通信部によって消費される。したがって、待ち受け状態に置くため、データ通信部に常に電力供給していたのでは、充分な省電力効果が望めないという問題点があった。
【００１７】
（本発明の課題）
そこで、本発明は、上述した問題点に鑑みて、データ通信の機能とは別に、外部から動作モードを簡易に操作できる機能をＩＣタグに備えることを目的とする。
また、本発明では、外部からの簡易な操作で、ＩＣタグに多様な動作を指示する技術を提供することを目的とする。
また、本発明は、外部から省電力モードの切り換え操作を可能にしたＩＣタグを提供することを目的とする。
また、本発明は、外部から動作モードを切り換えるためのセンサの具体的な実現態様を提供することを目的とする。
【課題を解決するための手段】
【００１８】
《請求項１》
請求項１のＩＣタグは、下記のデータ通信部、処理部、センサ、および動作切換部を備える。
データ通信部は、外部機器とデータ通信を行う機能を有する。
処理部は、このデータ通信部を制御する。
センサは、ＩＣタグの外界について、外部（例えば操作者）から操作可能な所定の物理量をセンシングすることで、予め定められた外界状態を検出する。
動作切換部は、センサによる外界状態の検出に応じて、ＩＣタグの動作モードを切り換える。
【００１９】
《請求項２》
請求項２に記載の発明は、請求項１に記載のＩＣタグにおいて、センサによる外界状態の検出に応じて、動作切換部が切り換える動作モードを記憶する記録部を備える。
【００２０】
《請求項３》
請求項３に記載の発明は、請求項１に記載のＩＣタグにおいて、外界状態の検出回数と、ＩＣタグの動作モードとの対応関係を記憶する記録部を備える。一方、動作切換部は、外界状態の検出回数を計数し、この検出回数に応じて記録部の対応関係を照合することにより、ＩＣタグの動作モードを決定する。
【００２１】
《請求項４》
請求項４に記載の発明は、請求項３に記載のＩＣタグにおいて、動作切換部は、検出回数が所定の上限回数を上回ると、動作モードの切り換えを停止または中断する。
【００２２】
《請求項５》
請求項５に記載の発明は、請求項１に記載のＩＣタグにおいて、外界状態の検出時点から次回の検出時点までの時間間隔を計測するタイマーを備える。また、この時間間隔を、ＩＣタグの動作モードに変換する変換ルールを記憶する記録部も備える。
動作切換部では、タイマーで計測された時間間隔をこの変換ルールに照合することにより、ＩＣタグの動作モードを決定する。
【００２３】
《請求項６》
請求項６に記載の発明は、請求項１に記載のＩＣタグにおいて、予め定められた時間範囲を検出するタイマーを備える。また、時間範囲における外界状態の検出回数を、ＩＣタグの動作モードに変換する変換ルールを記憶する記録部も備える。
動作切換部では、タイマーが検出した時間範囲において外界状態の検出回数を計測する。さらに、動作切換部は、この検出回数を変換ルールに照合することにより、ＩＣタグの動作モードを決定する。
【００２４】
《請求項７》
請求項７に記載の発明は、請求項１ないし請求項６のいずれか１項に記載のＩＣタグにおいて、動作切換部が切り換える動作モードは、『データ通信部の動作を停止させる処理』、『データ通信部の動作を開始させる処理』、『処理部の動作を停止させる処理』、および『処理部の動作を開始させる処理』の少なくとも一つである。
【００２５】
《請求項８》
請求項８に記載の発明は、請求項１ないし請求項６のいずれか１項に記載のＩＣタグにおいて、処理部に動作クロックを供給するクロック部を備える。一方、動作切換部が切り換える動作モードは、『動作クロックの供給を停止させる処理』，『動作クロックの供給を間欠的に実施させる処理』および『動作クロックを供給させる処理』の少なくとも一つである。
【００２６】
《請求項９》
請求項９に記載の発明は、請求項１ないし請求項６のいずれか１項に記載のＩＣタグにおいて、『データ通信に使用する高速クロック』と『高速クロックよりも遅い低速クロック』との切り換え機能を有するクロック部を備える。
一方、動作切換部が切り換える動作モードは、『クロック部の出力を低速クロックに切り換える処理』、および『クロック部の出力を高速クロックに切り換える処理』の少なくとも一つである。
【００２７】
《請求項１０》
請求項１０に記載の発明は、請求項１ないし請求項６のいずれか１項に記載のＩＣタグにおいて、ＩＣタグ内に電力供給を行う電力供給部を備える。
一方、動作切換部が切り換える動作モードは、『電力供給部の電力供給を全部停止させる処理』、『電力供給部の電力供給を一部停止させる処理』、および『電力供給部の電力供給を実行させる処理』の少なくとも一つである。
【００２８】
《請求項１１》
請求項１１に記載の発明は、請求項１ないし請求項１０のいずれか１項に記載のＩＣタグにおいて、センサは、下記のセンサ群のいずれか一つである。
（１）磁気を検出する磁気センサ
（２）電界を検出する電界センサ
（３）光を検出する光センサ
（４）静電容量や誘電率を検出する静電容量センサ
（５）圧電センサ
（６）圧力センサ
（７）接触センサ
（８）電磁波センサ
（９）電圧センサ
（１０）磁界によってスイッチ切換を行うリードスイッチ
（１１）太陽電池
（１２）音センサ
（１３）温度センサ
（１４）気圧センサ
（１５）ガスセンサ
（１６）加速度センサ
（１７）歪みセンサ
【発明の効果】
【００２９】
（請求項１）
請求項１のＩＣタグは、データ通信部によるデータ通信とは別に、センサによる動作切り換え機能を有する。
すなわち、このＩＣタグは、内蔵するセンサを用いて周囲の物理量をセンシングし、予め定められた外界状態の検出に応じて、ＩＣタグの動作モードを切り換える。
ここで、センサが検出する物理量は、外部から操作可能な物理量とする。したがって、外部からの物理量操作によって、センサの検出結果が変化し、それに応じて、ＩＣタグの動作モードを外部から操作することが可能になる。
【００３０】
このような外部操作の待ち受け動作に限れば、センサ関係のみに通電して待ち受け状態におけばよい。一般に、データ通信部は、データ通信用の高速クロックで動作し、かつ外部とのデータ通信に大きな電力を必要とするために、省電力化が難しい。しかし、センサは、周囲の物理量のセンシングに必要な待ち受け電力で済み、更に太陽電池のように物理量をエネルギー変換するものについては、その待ち受け電力さえも不要にできる。
したがって、センサを設けることでＩＣタグを外部から操作する構成では、従来不可能であった大幅な省電力化が可能になる。
【００３１】
さらに、ＩＣタグの外表面に、従来例のような操作部材を設ける必要がなくなり、一段と小さなＩＣタグを作成できる。また、操作部材に必要な強い力を、ＩＣタグの外表面に印加する必要がないため、ＩＣタグに構造的な劣化は起こりにくい。
【００３２】
また、外部からセンサの検出結果を操作することで動作モードを切り換えるため、可逆的かつ柔軟な動作モードの切り換えが容易に実現できる。したがって、従来例で述べたような、出荷直前に電源オンにすると、二度と電源オフにできないなどの問題を回避できる。
【００３３】
（請求項２）
請求項２のＩＣタグでは、記録部に、センサの検出結果に応じて動作切換部が切り換える動作モードが記録されている。したがって、記録部の内容を変更することで、同一構造のＩＣタグであっても、外部操作で切り換える動作モードを柔軟かつ多様に変更することが可能になる。例えば、データ通信部を介して、この動作モードの決定ルールを書き換えるなどの態様が可能となる。
【００３４】
（請求項３）
請求項３のＩＣタグは、外界状態の検出回数に応じて、ＩＣタグの動作モードが切り換わる。したがって、所定の外界状態をＩＣタグに反復して与えることにより、ＩＣタグの動作モードを順次に変更することが可能になる。
例えば、検出回数に応じて、所定周期で循環式に動作モードを切り換えることにより、多様な動作モードの中から、所望の動作モードを選択することが可能になる。
また例えば、検出１回目、２回目、３回目・・の順番に、適当な動作シーケンスを設定しておけば、この動作シーケンスの進行タイミングを、外部から外界状態を反復して与えることで指示することも可能になる。
これら例のように、ＩＣタグに外界状態を与えるという単純な外部操作でありながら、より複雑な動作モードをＩＣタグに指示することが可能になる。
【００３５】
（請求項４）
請求項４のＩＣタグは、検出回数が所定の上限回数を上回ると、動作モードの切り換えを停止または中断する。
このような動作により、外界状態を上限回数を越えてＩＣタグに与えることにより、ＩＣタグのセンサを用いた動作モードの切り換え（外部操作）を打ち切ることができる。その後、実使用下において、ＩＣタグが外界状態にたまたま遭遇しても動作モードの切り換えは起こらなくなり、実使用下における誤動作のおそれがなくなる。
【００３６】
（請求項５）
請求項５のＩＣタグは、外界状態の検出時点から次回の検出時点までの時間間隔を計測し、記録部の変換ルールに従って、その時間間隔をＩＣタグの動作モードに変換する。
この場合も、ＩＣタグに外界状態を与えるという単純な外部操作でありながら、より複雑な動作モードをＩＣタグに指示することが可能になる。
さらに、検出回数毎に動作モードを順次切り換える場合に比べて、上記動作では、途中の動作モードの切り換えを省略できる。すなわち、外界状態を与える時間間隔によって、所望の動作モードをダイレクトに選択し、その動作モードにダイレクトに切り換えることが可能になる。
また、時間間隔の選択肢は無数にあり、その内のいくつかを動作モードに割り当てればよい。したがって、稼働中のＩＣタグがたまたま外界状態に遭遇しても、動作モード切り換えにたまたま該当する確率は極めて低い。そのため、実使用下における誤動作のおそれを低くすることができる。
【００３７】
（請求項６）
請求項６のＩＣタグは、予め定められた時間範囲における外界状態の検出回数に応じて、動作モードを決定する。
この場合も、ＩＣタグに外界状態を与えるという単純な外部操作でありながら、より複雑な動作モードをＩＣタグに指示することが可能になる。
さらに、検出回数毎に動作モードを順次切り換える場合に比べて、上記動作では、途中の動作モードの切り換えを省略できる。すなわち、その時間範囲に与える外界状態の回数によって、所望の動作モードをダイレクトに選択し、その動作モードにダイレクトに切り換えることが可能になる。
なお、誤動作を避ける方策として、実使用下において時間範囲に想定しうる外界状態の遭遇回数（例えば、１回とか２回）については、動作切り換えを行わないように変換ルールを定めておくことが好ましい。
【００３８】
（請求項７）
請求項７のＩＣタグにおいて、動作切換部が切り換える動作モードが、下記の処理群の内の少なくとも一つである。
【００３９】
（Ａ）『データ通信部の動作を停止させる処理』・・この処理により、データ通信部による比較的大きな電力消費を抑え、ＩＣタグの使用可能時間を大幅に延長することができる。
【００４０】
（Ｂ）『データ通信部の動作を開始させる処理』・・この処理により、データ通信部の動作開始タイミングを、ＩＣタグの外部から指示できる。
【００４１】
（Ｃ）『処理部の動作を停止させる処理』・・この処理により、処理部における電力消費を抑え、ＩＣタグの使用可能時間を延長することができる。
【００４２】
（Ｄ）『処理部の動作を開始させる処理』・・この処理により、処理部の動作開始タイミングを、ＩＣタグの外部から指示できる。
【００４３】
（請求項８）
請求項８のＩＣタグにおいて、動作切換部が切り換える動作モードが、下記の処理群の内の少なくとも一つである。
【００４４】
（Ａ）『動作クロックの供給を停止させる処理』・・この処理により、動作クロックによって行われるＩＣタグ内の動作を停止させて電力消費を抑え、ＩＣタグの使用可能時間を大幅に延長することができる。
【００４５】
（Ｂ）『動作クロックの供給を間欠的に実施させる処理』・・この処理により、動作クロックによって行われるＩＣタグ内の動作を間欠的に実施して電力消費を抑え、ＩＣタグの使用可能時間を延長することができる。
【００４６】
（Ｃ）『動作クロックを供給させる処理』・・この処理により、動作クロックによって行われるＩＣタグ内の動作開始タイミングを、ＩＣタグの外部から指示できる。
【００４７】
（請求項９）
請求項９のＩＣタグにおいて、動作切換部が切り換える動作モードが、下記の処理群の内の少なくとも一つである。
【００４８】
（Ａ）『クロック部の出力を低速クロックに切り換える処理』・・この処理により、低速クロックによってＩＣタグの動作速度を遅くして電力消費を抑え、ＩＣタグの使用可能時間を延長することができる。
【００４９】
（Ｂ）『クロック部の出力を高速クロックに切り換える処理』・・この処理により、ＩＣタグの動作速度を高速化するタイミングを、ＩＣタグの外部から指示できる。
【００５０】
（請求項１０）
請求項１０のＩＣタグにおいて、動作切換部が切り換える動作モードが、下記の処理群の内の少なくとも一つである。
【００５１】
（Ａ）『電力供給部の電力供給を全部停止させる処理』・・この処理により、ＩＣタグの電力消費を抑え、ＩＣタグの使用可能時間を延長することができる。
【００５２】
（Ｂ）『電力供給部の電力供給を一部停止させる処理』・・この処理により、ＩＣタグの電力消費を抑え、ＩＣタグの使用可能時間を延長することができる。
【００５３】
（Ｃ）『電力供給部の電力供給を実行させる処理』・・・・この処理により、ＩＣタグ内部の電力供給タイミングを、ＩＣタグの外部から指示できる。
【００５４】
（請求項１１）
請求項１１のＩＣタグにおいて、センサは、下記のセンサ群のいずれか一つである。
【００５５】
（１）磁気を検出する磁気センサ・・ＩＣタグが磁気センサを備えることにより、例えば、ＩＣタグに磁石を近づけたり、ＩＣタグの近傍に配置した導線に電流を流して磁界を生じさせるなどの簡単な磁気操作が可能となる。したがって、ＩＣタグの動作モードを外部から容易に切り換えることができる。
【００５６】
（２）電界を検出する電界センサ・・ＩＣタグが電界センサを備えることにより、例えば、電位差を与えた電極間にＩＣタグを配置するなどの簡単な電界操作により、ＩＣタグの動作モードを外部から容易に切り換えることができる。
【００５７】
（３）光を検出する光センサ・・ＩＣタグが外界の光を検出する光センサを備えることにより、例えば、ＩＣタグに光を照射したり、ＩＣタグを暗所（遮蔽袋など）から出し入れしたり、ＩＣタグを遮蔽シートで覆ったりといった簡単な光操作で、ＩＣタグの動作モードを外部から容易に切り換えることができる。
【００５８】
（４）静電容量や誘電率を検出する静電容量センサ・・ＩＣタグが静電容量センサを備えることにより、例えば、ＩＣタグの周囲の誘電率を変化させたり、ＩＣタグの近傍の動体との距離を変化させたり、指などでＩＣタグに接触するといった簡単な静電容量操作により、ＩＣタグの動作モードを外部から容易に切り換えることができる。
【００５９】
（５）圧電センサ・・ＩＣタグが圧電センサを備えることにより、例えば、ＩＣタグ（圧電センサ）に微小な機械的歪みを与えるなどの簡単な操作により、ＩＣタグの動作モードを外部から容易に切り換えることができる。
【００６０】
（６）圧力センサ・・ＩＣタグが圧力センサを備えることにより、例えば、ＩＣタグに僅かな圧力（構造劣化が生じない程度）を加えるなどの簡単な操作により、ＩＣタグの動作モードを外部から容易に切り換えることができる。
【００６１】
（７）接触センサ・・ＩＣタグが接触センサを備えることにより、例えば、指などでＩＣタグに軽く接触するといった簡単な接触操作（構造劣化が生じない程度）により、ＩＣタグの動作モードを外部から容易に切り換えることができる。
【００６２】
（８）電磁波センサ・・ＩＣタグが電磁波センサを備えることにより、例えば、ＩＣタグの近くで火花を発生させるなどの簡単な電磁波操作により、ＩＣタグの動作モードを外部から容易に切り換えることができる。
【００６３】
（９）電圧センサ・・ＩＣタグが電圧センサを備えることにより、例えば、ＩＣタグに電圧を印加するなどの簡単な電圧操作により、ＩＣタグの動作モードを外部から容易に切り換えることができる。
【００６４】
（１０）磁界によってスイッチ切換を行うリードスイッチ・・ＩＣタグがリードスイッチを備えることにより、例えば、ＩＣタグに磁石を近づけたり、ＩＣタグの近傍に配置した導線に電流を流して磁界を生じさせるなどの簡単な磁気操作により、ＩＣタグの動作モードを外部から容易に切り換えることができる。
【００６５】
（１１）太陽電池・・ＩＣタグが、外界の光で発電する太陽電池を備えることにより、例えば、ＩＣタグに光を照射したり、ＩＣタグを暗所（遮蔽袋など）から出し入れしたり、ＩＣタグを遮蔽シートで覆ったりといった簡単な光操作で、ＩＣタグの動作モードを外部から容易に切り換えることができる。
【００６６】
（１２）音センサ・・ＩＣタグが、音センサを備えることにより、例えば、ＩＣタグの近くで音を発生させるなどの簡単な音操作により、ＩＣタグの動作モードを外部から容易に切り換えることができる。
【００６７】
（１３）温度センサ・・ＩＣタグが、温度センサを備えることにより、例えば、ＩＣタグを冷やしたり、僅かに加熱したり（構造劣化が生じない程度）、ＩＣタグの両端に温度差を与えるなどの簡単な温度操作により、ＩＣタグの動作モードを外部から容易に切り換えることができる。
【００６８】
（１４）気圧センサ・・ＩＣタグが、気圧センサを備えることにより、例えば、気密性の袋に入ったＩＣタグに対し袋を押すことで気圧を変更したり、実使用前にＩＣタグを真空パックから出すなどの簡単な気圧操作により、ＩＣタグの動作モードを外部から容易に切り換えることができる。
【００６９】
（１５）ガスセンサ・・ＩＣタグが、周囲のガスを検出するガスセンサを備えることにより、例えば、ＩＣタグの周囲のガスを変更したり、ＩＣタグの収納袋の封を切るなどの簡単なガス環境の操作により、ＩＣタグの動作モードを外部から容易に切り換えることができる。
【００７０】
（１６）加速度センサ・・ＩＣタグが、加速度センサを備えることにより、例えば、ＩＣタグを振るなどの簡単な加速度操作により、ＩＣタグの動作モードを外部から容易に切り換えることができる。
【００７１】
（１７）歪みセンサ・・ＩＣタグが、歪みセンサを備えることにより、例えば、ＩＣタグに僅かな機械的歪み（構造劣化が生じない程度）を与えるなどの簡単な歪み操作により、ＩＣタグの動作モードを外部から容易に切り換えることができる。
【発明を実施するための最良の形態】
【００７２】
《第１の実施形態》
［構成説明］
第１の実施形態は、ＩＣタグに磁石を近づけたり、遠ざけることによって、ＩＣタグの動作モードを外部から切り換える実施形態である。
図１は、このＩＣタグ１１の構成を示す図である。
このＩＣタグ１１は、下記のユニットを内蔵する。
【００７３】
（１）データ通信部１３・・電波や赤外線などを用いてデータ通信を行う。
（２）記録部１４・・通常のタグ動作に必要なプログラムやデータの他に、外部からの動作モードの切り換えに必要なプログラムやデータも記憶する。
例えば、切り換える動作モードとしては、次に挙げるものが好ましい。
『データ通信部１３の動作を停止させる処理』、
『データ通信部１３の動作を開始させる処理』、
『ＣＰＵ１６の動作を停止させる処理』、
『ＣＰＵ１６の動作を開始させる処理』、
『クロック回路１６ａからのクロック供給を停止させる処理』、
『クロック回路１６ａからのクロック供給を間欠的に実施させる処理』、
『クロック回路１６ａからのクロック供給を開始させる処理』、
『クロック回路１６ａの出力を低速クロックに切り換える処理』、
『クロック回路１６ａの出力を高速クロックに切り換える処理』、
『電力供給部１７の電力供給を全部停止させる処理』、
『電力供給部１７の電力供給を一部停止させる処理』、
『電力供給部１７の電力供給を実行させる処理』
（３）磁気センサ１５・・ＩＣタグ１１の周囲の磁気を検出するセンサ。例えば、強磁性体磁気抵抗素子（強磁性体の磁気抵抗効果を利用し、磁界強度により抵抗値が変化するセンサ）など。
（４）ＣＰＵ１６・・データ通信部１３および記録部１４を制御する。また、磁気センサ１５の検出結果に応じてＩＣタグ１１の動作モードを切り換える機能も有する。
（５）クロック回路１６ａ・・データ通信部１３，ＣＰＵ１６などの動作クロックを生成する回路である。また、クロック周波数の切り換え機能も有する。
（６）電力供給部１７・・電池などを備え、ＩＣタグ１１内に電力供給を行う。
【００７４】
［発明との対応関係］
以下、発明と本実施形態との対応関係について説明する。なお、ここでの対応関係は、参考のために一解釈を例示するものであり、本発明を徒らに限定するものではない。
請求項記載のデータ通信部は、データ通信部１３に対応する。
請求項記載の記録部は、記録部１４に対応する。
請求項記載の処理部は、ＣＰＵ１６の『ＩＣタグ１１を制御する機能』に対応する。
請求項記載のセンサは、磁気センサ１５に対応する。
請求項記載の動作切換部は、ＣＰＵ１６の『磁気センサ１５の検出結果に応じて、ＩＣタグ１１の動作モードを切り換える機能』に対応する。
請求項記載のタイマーは、ＣＰＵ１６およびクロック回路１６ａによる時間計測機能に対応する。
請求項記載のクロック部は、クロック回路１６ａに対応する。
請求項記載の電力供給部は、電力供給部１７に対応する。
【００７５】
［ＩＣタグ１１に対する外部操作の方法］
次に、ＩＣタグ１１の動作モードを外部から切り換える操作方法について説明する。
図２は、この操作方法を説明する図である。
本実施形態では、磁石１８をＩＣタグ１１に接近させることで、通常のタグ使用ではあり得ない程度に強い磁界をＩＣタグ１１に与える。ＩＣタグ１１内の磁気センサ１５は、この強い磁界を『予め定められた外界状態』として検出し、ＣＰＵ１６に伝達する。
続いて、磁石１８をＩＣタグ１１から遠ざけることで、ＩＣタグ１１に与えていた強い磁界を弱める。磁気センサ１５は、この磁界の低下を『外界状態の変化』として検出し、ＣＰＵ１６に伝達する。
このように、ＩＣタグ１１に磁石１８を近づけたり遠ざける操作によって、磁気センサ１５の検出結果を操作し、ＩＣタグ１１に対して動作モードの切り換えを指示することができる。
【００７６】
［動作モードの選択について］
次に、ＩＣタグ１１による動作モードの切り換えシーケンスについて説明する。
図３（Ａ）は、動作モードの切り換え動作の一例を示す図である。
この例の場合、２つの動作モードに対応した処理１および処理２が、記録部１４にプログラムとして予め記録されている。
この状態で、磁気センサ１５が外界状態を検出すると、ＣＰＵ１６は、処理１から処理２に動作を移行する。逆に、磁気センサ１５が外界状態の消滅を検出すると、ＣＰＵ１６は、処理２から処理１に動作を移行する。
このような動作モードの切り換え動作では、ＩＣタグ１１に与える外界状態を操作することで、処理１および処理２を交互に切り換えることができる。
【００７７】
図３（Ｂ）は、動作モードの切り換え動作の別の一例を示す図である。
この例の場合、ＩＣタグ１１が実行する処理が、記録部１４にプログラムとして予め記録されている。この処理の終了後に磁気センサ１５が外界状態を検出すると、ＣＰＵ１６は、この処理を再び実行する。
このように、外界状態を契機にして停止状態のＩＣタグ１１を目覚めさせ、所定の処理を、外界状態を与えるタイミングで繰り返し実行させることができる。
【００７８】
図３（Ｃ）は、動作モードの切り換え動作の別の一例を示す図である。
この例の場合、各種の動作モードに対応する処理１〜３が、記録部１４にプログラムとして予め記録されている。処理１は、ＩＣタグ１１の製造直後に実施される処理である。
この処理１の終了後または実行中に磁気センサ１５が外界状態を検出すると（検出１回目）、ＣＰＵ１６は処理２に動作を移行する。
この処理２の終了後または実行中に磁気センサ１５が外界状態を検出すると（検出２回目）、ＣＰＵ１６は処理３に動作を移行する。
その後、磁気センサ１５が外界状態を検出しても（検出３回目以降）、ＣＰＵ１６は、動作モードの切り換えを行わず、処理３を継続する。
例えば、処理１を、ＩＣタグ１１の製造時の初期化処理とする。処理２は、初期化後にＩＣタグ１１で実施するテスト処理とする。処理３は、エンドユーザーのもとで、ＩＣタグ１１が実行する処理とする。
このようにして、外界状態の有無という単純な指示でありながら、３つ以上の動作モードをシーケンシャルに切り換えることができる。
【００７９】
図４（Ａ）（Ｂ）は、動作モードの切り換え動作の別の一例を示す図である。
まず、磁気センサ１５が外界状態を検出すると、その時点からＣＰＵ１６は、クロック回路１６ａを用いて、３秒間の時間範囲を計測する。ＣＰＵ１６は、この時間範囲における外界状態の検出回数Ｎspanを計数する。図４（Ａ）には、検出回数Ｎspanが１回になるケースと、２回になるケースを示している。
記録部１４には、この検出回数Ｎspanを、対応する動作モードに変換する変換ルールと、各動作モードのプログラム（処理１，２，３・・）が予め記録されている。ＣＰＵ１６は、計測された検出回数Ｎspanをこの変換ルールに従って解釈して、実行する動作モードを選択する。
図４（Ｂ）には、この変換ルールの一例に相当する状態遷移図を示す。
この変換ルールでは、初期状態から外界状態を検出すると、『検出１回』に状態遷移する。この瞬間から時間範囲（ここでは３秒間）の計測がスタートする。
この状態のまま、時間範囲が経過してタイムアウトすると、ＣＰＵ１６は、検出回数Ｎspan１回に対応する処理１を実行する。この処理１が終了すると初期状態に戻り、ＣＰＵ１６は、次回の動作モードの切り換え指示を待機する。
【００８０】
なお、検出回数Ｎspanが１回の場合には、外界状態を誤検出している可能性があるため、処理１を『ＮＯＰ』などの無効な処理にすることが好ましい。この場合、限られた時間範囲内に外界状態を２回以上検出した確実なケースのみ、動作モードの切り換えが行われるため、誤動作の発生確率を大幅に低減することができる。
一方、この時間範囲内に磁気センサ１５が再び外界状態を検出すると、『検出２回』に状態遷移する。この状態のまま、時間範囲が経過してタイムアウトすると、ＣＰＵ１６は、検出回数Ｎspan２回に対応する処理２を実行する。処理２が終了すると初期状態に戻り、ＣＰＵ１６は、次回の動作モードの切り換え指示を待機する。
このような動作を繰り返すことにより、外界状態の有無という単純な指示でありながら、複数の動作モードをＩＣタグ１１に択一的に指示することが可能になる。
【００８１】
図５（Ａ）（Ｂ）は、動作モードの切り換え動作の別の一例を示す図である。
まず、ＣＰＵ１６は、クロック回路１６ａを用いて、外界状態の検出時点から次回の検出時点までの時間間隔を計測する。図５（Ａ）には、この時間間隔が３秒、１秒、２秒のケースについて示している。
記録部１４には、この時間間隔を、対応する動作モードに変換する変換ルールと、各動作モードのプログラム（処理１，２，３・・）が予め記録されている。ＣＰＵ１６は、計測された時間間隔をこの変換ルールに従って解釈し、実行する動作モードを選択する。
図５（Ｂ）には、この変換ルールの一例に相当する状態遷移図を示す。
この変換ルールでは、最初の時間間隔が１秒の場合、ＣＰＵ１６は処理１を即時実行する。また、最初の時間間隔が２秒の場合、ＣＰＵ１６は処理２を即時実行する。一方、最初の時間間隔が３秒の場合、ＣＰＵ１６は『間隔３秒』に状態遷移して、次の時間間隔の計測結果を待機する。
２回目の時間間隔が１秒の場合、ＣＰＵ１６は処理３を実行する。また、２回目の時間間隔が２秒の場合、ＣＰＵ１６は処理４を実行する。一方、２回目の時間間隔が３秒の場合、ＣＰＵ１６は『間隔（３，３）』に状態遷移して、次の時間間隔の計測結果を待機する。
このような動作を繰り返すことにより、外界状態の有無という単純な指示でありながら、複数の動作モードをＩＣタグ１１に択一的に指示することが可能になる。
次に、ＩＣタグ内におけるセンサ接続の態様について説明する。
【００８２】
《第２の実施形態》
図６は、ＩＣタグ２０のセンサ接続を説明する図である。
センサユニット２３は、磁気センサと、磁気センサの出力を割り込み信号にレベル変換するコンパレータなどから構成される。
このセンサユニット２３から出力された割り込み信号は、ＣＰＵ２１の割り込み端子に入力される。ＣＰＵ２１は、割り込み端子から割り込み信号が入力されると、ＨＡＬＴなどの休止状態を脱して、記録部２４に記録された割り込み処理のプログラムを実施する。この割り込み処理において、外界状態の検出に同期した動作モードの実行や、動作モードの切り換え処理が実行される。
【００８３】
このように、ＣＰＵ２１の割り込み機能を利用することにより、ＣＰＵ２１でセンサ出力を定期的に監視する必要がなくなり、ＣＰＵ２１の処理負担を軽減することができる。
さらに、ＣＰＵ２１が休止状態にあっても、割り込み機能によって、センサによる外界状態の検出に答えて動作を開始することが可能になる。したがって、ＣＰＵ２１やデータ通信部２５を休止させた状態や、クロック供給を一部停止または全部停止させた状態から、ＩＣタグ２０を目覚めさせ、所望の動作を開始させることができる。
【００８４】
《第３の実施形態》
図７は、ＩＣタグ３１のセンサ接続を説明する図である。
図７において、レギュレータ（またはＤＣ−ＤＣコンバータ）３４は、電池３２の電圧Ｖｃｃを安定化して、安定化電圧Ｖｄｄとして出力する。この安定化電圧Ｖｄｄは、ＣＰＵ３５、データ通信部３６、記録部３７に電力供給される。
一方、センサユニット３３は、電池３２の電圧Ｖｃｃによって作動する。このセンサユニット３３は、磁気センサと、磁気センサによって外界状態を検出するたびに出力信号を反転（トグル動作）させる回路とから構成される。
このセンサユニット３３の出力信号は、レギュレータ３４のチップイネーブル端子に入力される。
【００８５】
上述した構成により、センサユニット３３による外界状態の検出／非検出に応じて、レギュレータ３４のオンオフ切り換えを行うことが可能になる。
その結果、ＩＣタグ３１に所定の外界状態を与えることにより、レギュレータ３４をオフ状態にして、ＣＰＵ３５、データ通信部３６、記録部３７への電力供給を停止させ、ＩＣタグ３１を省電力モードの休止状態に移行させることが可能になる。
また、この状態からＩＣタグ３１を再び外界状態を与えることにより、レギュレータ３４をオン状態にして、ＣＰＵ３５、データ通信部３６、記録部３７への電力供給を再開させ、ＩＣタグ３１を通常の動作状態に移行させることが可能になる。
【００８６】
《第４の実施形態》
図８は、ＩＣタグ４１のセンサ接続を説明する図である。
図８において、ＣＰＵ４３は、Ｉ／Ｏ端子からセンサユニット４６に電源電圧Ｖｄｄを供給する。ＣＰＵ４３には、データ通信部４４、および記録部４５が接続される。
例えば、図３（Ｃ）に示すようなケースでは、外界状態の検出回数が上限回数を超えると、外界状態の検出が不要となる。そこで、検出回数が上限回数を上回った時点で、ＣＰＵ４３は、Ｉ／Ｏ端子の出力電圧をローレベルまたはハイインピーダンス状態にして、センサユニット４６に対する電力供給を遮断する。
このような動作により、必要な期間のみセンサユニット４６に電力を供給し、それ以外の期間はセンサユニット４６への電力供給を停止させることが可能となる。その結果、ＩＣタグ４１を更に省電力化することが可能になる。特に、この構成は、電力消費の大きいフォトトランジスタをセンサとして使用する場合などに有効である。
【００８７】
《第５の実施形態》
図９は、ＩＣタグ５１のセンサ接続を説明する図である。
【００８８】
図９において、ＣＰＵ５６には、データ通信部５４、および記録部５５が接続される。このデータ通信部５４のチップイネーブル端子には、センサユニット５３の出力信号が入力される。
このような構成では、ＩＣタグ５１に与えた外界状態（磁石を近づけるなど）をセンサユニット５３で検出し、電力消費の比較的大きなデータ通信部５４を直にオンオフ切り換えすることが可能になる。
【００８９】
《第６の実施形態》
図１０は、ＩＣタグ６１のセンサ接続を説明する図である。
図１０において、ＣＰＵ６２には、データ通信部６３、および記録部６４が接続される。センサ６５による外界状態の検出回数は、カウンタ６６で計数される。カウンタ６６で計数された検出回数は、ＣＰＵ６２に入力される。なお、ＣＰＵ６２からカウンタ６６には、検出回数をリセットする信号が出力可能である。
このような構成では、ＩＣタグ６１に与えた外界状態（磁石を近づけるなど）をカウンタ６６で計数し、この検出回数に応じて、ＣＰＵ６２で動作モードを切り換えることが可能になる。
【００９０】
《実施形態の補足事項》
なお、上述した実施形態では、ＩＣタグ内に記録部を備えたケースについて説明した。しかしながら、プログラム用のメモリは、他のタグや、ＩＣタグとネットワークで接続されるサーバ内にあってもよい。この場合は、データ通信部を介してプログラムを必要に応じてダウンロードすればよい。
【００９１】
また、上述した実施形態では、磁気センサを使用する場合について説明した。しかしながら、本発明はこれに限定されるものではない。一般的には、外部操作の可能な物理量をセンシングするセンサであればよい。例えば、電界センサ、光を検出する光センサ、静電容量センサ、圧電センサ、圧カセンサ、接触センサ、電磁波センサ、電圧センサ、リードスイッチ、受光素子としての太陽電池、温度センサ、気圧センサ、ガスセンサ、加速度センサ、歪みセンサ、超音波センサ等の音センサなどが好ましい。
【００９２】
なお、ＩＣタグの電源としては、コイン型電池、ボタン型電池等の１次電池、２次電池や太陽電池、圧電素子、熱電素子などの発電を伴う電源、キャパシタ等が好ましい。
【００９３】
また、上述した実施形態は、所定の外界状態か否かという二値検出に従って動作切り換えを行っている。しかしながら、本発明はこれに限定されるものではない。例えば、外界状態を複数設定することにより、複数種類の動作モードから一つを選択することも可能である。
【００９４】
また、物理量の値それ自体ではなく、物理量の変化方向や変化幅などの条件に基づいて外界状態を検出してもよい。例えば磁気センサであれば、磁気の変化方向や変化幅に基づいて、磁石が近づいているのか、遠ざかっているのか、磁石の移動幅といった情報を、外界状態として検出することが可能になる。
【００９５】
さらに、複数種類のセンサを搭載することにより、外界状態の論理組み合わせが可能になる。これらの論理（論理和や論理積や否定など）に応じて、切り換える動作モードを決定してもよい。
【００９６】
なお、上述した実施形態では、タグ形状のＩＣタグについて説明した。しかしながら、本発明はこれに限定されるものではない。例えば、ＩＣカードに本発明を適用してもよい。
【産業上の利用可能性】
【００９７】
以上説明したように、本発明は、ＩＣタグなどに利用可能な技術である。
【図面の簡単な説明】
【００９８】
【図１】ＩＣタグ１１の構成を示す図である。
【図２】外部からＩＣタグ１１に与える操作を説明する図である。
【図３】動作モードの変換ルールを示す状態遷移図である。
【図４】動作モードの変換ルールを示す説明図である。
【図５】動作モードの変換ルールを示す説明図である。
【図６】ＩＣタグ２０のセンサ接続を説明する図である。
【図７】ＩＣタグ３１のセンサ接続を説明する図である。
【図８】ＩＣタグ４１のセンサ接続を説明する図である。
【図９】ＩＣタグ５１のセンサ接続を説明する図である。
【図１０】ＩＣタグ６１のセンサ接続を説明する図である。
【符号の説明】
【００９９】
１１  ＩＣタグ
１３  データ通信部
１４  記録部
１５  磁気センサ
１６  ＣＰＵ
１６ａ  クロック回路
１７  電力供給部
１８  磁石
２１  ＣＰＵ
２３  センサユニット
３１  ＩＣタグ
３２  電池
３３  センサユニット
３４  レギュレータ
３５  ＣＰＵ
３６  データ通信部
３７  記録部
４１  ＩＣタグ
４３  ＣＰＵ
４４  データ通信部
４５  記録部
４６  センサユニット
５１  ＩＣタグ
５３  センサユニット
５４  データ通信部
５５  記録部
５６  ＣＰＵ
６２  ＣＰＵ
６６  カウンタ
【図１】
2005293485.tif 000003
【図２】
2005293485.tif 000004
【図３】
2005293485.tif 000005
【図４】
2005293485.tif 000006
【図５】
2005293485.tif 000007
【図６】
2005293485.tif 000008
【図７】
2005293485.tif 000009
【図８】
2005293485.tif 000010
【図９】
2005293485.tif 000011
【図１０】
2005293485.tif 000012